(57)【特許請求の範囲】
【請求項１】
成形条件入力用の画面を表示することのできるディスプレイと、前記成形条件入力用の画面上に表示されている各種設定のための複数の項目にそれぞれ設定値を与えるための設定値入力部とを備えた射出成形機の成形条件表示方法において、
前記複数の項目の中に、オペレータが任意に選択した設定項目が存在しかつ当該設定項目について設定変更がされない場合に、当該項目を含む成形条件入力用の画面については、当該項目について設定変更がなされていない旨を特定項目にて表示するとともに、
前記オペレータが任意に選択した設定項目は、温度設定に関する条件入力用の画面における温度設定項目と、計量に関する条件入力用の画面における計量回転数設定項目及び計量背圧設定項目と、射出に関する条件入力用の画面における保圧設定項目と、金型の開閉に関する条件入力用の画面における型締速度設定項目及び型締位置設定項目と、成型品のエジェクタ動作に関する条件入力用の画面におけるエジェクタ突き出し量の設定項目のうちから任意に選択した１つ以上の項目であることを特徴とする射出成形機の成形条件表示方法。
【請求項２】
請求項１記載の成形条件表示方法において、前記特定項目は、特定の色あるいは数字により表示され、設定変更がなされると表示がオフとされることを特徴とする射出成形機の成形条件表示方法。
【請求項３】
請求項１記載の成形条件表示方法において、前記特定項目において前記設定変更がなされていない旨が表示されている状態で前記ディスプレイの電源がオフにされた場合、次に前記ディスプレイの電源がオンにされた時には、前記特定項目における表示が、前記設定変更がなされていない旨の表示を保持する状態にされることを特徴とする射出成形機の成形条件表示方法。
【請求項４】
請求項１記載の成形条件表示方法において、
前記特定項目は、前記オペレータが任意に選択した設定項目を含む成形条件入力用の画面毎に異なる特定の色あるいは数字が設定されて表示され、
ある成形条件入力用の画面に対して設定変更が終了した時点でまだ設定変更の終了していない成形条件入力用の画面がある場合、前記設定変更を終了した成形条件入力用の画面における特定項目における表示を、前記まだ設定変更の終了していない成形条件入力用の画面に設定された色あるいは数字に変化させることにより、前記まだ設定変更の終了していない成形条件入力用の画面に対する設定変更を促し、
前記オペレータが任意に選択した設定項目を含む成形条件入力用の画面のすべてについて設定変更を終了すると、特定項目における表示がオフとされることを特徴とする射出成形機の成形条件表示方法。
【発明の詳細な説明】
【０００１】
【発明の属する技術分野】
本発明は射出成形機に関し、特に、射出成形機に備えられているディスプレイによる成形条件を入力するための画面の表示方法に関する。
【０００２】
【従来の技術】
一般に、射出成形機においては、ディスプレイが備えられ、このディスプレイには必要に応じて、オペレータの操作により成形条件を入力するための画面や、成形中の各工程における圧力のような波形画面を表示できるようにされている。成形条件を入力するための画面としては、温度設定に関する条件入力用の画面、計量に関する条件入力用の画面、金型の開閉に関する条件入力用の画面、射出に関する条件入力用の画面、成型品のエジェクタ動作に関する条件入力用の画面等、多岐にわたっている。
【０００３】
これらの画面は、図５に示されるように、独立して表示されるようになっている。例えば、可塑化に関する条件入力用の画面については、図５（ａ）に示されるように、スクロール表示可能な複数の画面を持つ。同様に、金型の開閉に関する条件入力用の画面、温度設定に関する条件入力用の画面についても、図５（ｂ）、図５（ｃ）に示されるように、スクロール表示可能な複数の画面を持つ。
【０００４】
これらの成形条件入力用の画面上にはそれぞれ、各種設定のための複数の項目が表示されており、キーボードのような設定値入力部を通してオペレータにより必要項目への設定値の入力が行われる。
【０００５】
ところで、ある成型品のためにある成形条件で成形を行っていた射出成形機において別の成型品を成形するために樹脂材料を代えたり、金型を交換したりした場合には、成形条件も変更する必要がある。これは、ある成型品の成形作業を終了した場合でも、ディスプレイ上には上記のある成型品のための成形条件が表示されており、制御装置はこの表示されている成形条件に基づいて制御動作を実行するからである。
【０００６】
【発明が解決しようとする課題】
しかしながら、上記のように、複数種類の成形条件入力用の画面は独立しており、ある成形条件入力用の画面を表示している状態で他の成形条件入力用の画面上における設定状態を知ることは難しい。このため、すべての成形条件入力用の画面に対して設定値の変更を行う場合に、設定値を変更し忘れる可能性がある。勿論、ほとんどの場合はすべての設定値を変更する必要は無く、変更し忘れたとしてもそれほど問題を生じない設定値もあるが、変更し忘れると射出成形機本体に重大な異常を発生する可能性のある設定値がある。
【０００７】
このような設定値には、温度設定に関する条件入力用の画面における温度設定項目と、計量に関する条件入力用の画面における計量回転数設定項目及び計量背圧設定項目と、射出に関する条件入力用の画面における保圧設定項目と、金型の開閉に関する条件入力用の画面における型締速度設定項目及び型締位置設定項目と、成型品のエジェクタ動作に関する条件入力用の画面におけるエジェクタ突き出し量の設定項目等があげられる。
【０００８】
そして、温度設定項目、計量回転数設定項目、及び計量背圧設定項目に関する設定値の変更をし忘れるとスクリュの破損につながる場合がある。一方、保圧設定項目と、型締速度設定項目及び型締位置設定項目、及びエジェクタ突き出し量の設定項目に関する設定値の変更をし忘れると金型の破損につながる場合がある。
【０００９】
そこで、本発明の課題は、成形条件を入力するための画面に表示される複数の設定項目のうち、特に変更し忘れると重大な問題を生ずる可能性のある設定項目を任意に選択してその設定変更のし忘れを防止することのできる成形条件表示方法を提供することにある。
【００１０】
本発明の他の課題は、上記の設定変更のし忘れ防止を、成形条件を入力するための画面毎に任意に選択して実現することのできる成形条件表示方法を提供することにある。
【００１１】
【課題を解決するための手段】
本発明によれば、成形条件入力用の画面を表示することのできるディスプレイと、前記成形条件入力用の画面上に表示されている各種設定のための複数の項目にそれぞれ設定値を与えるための設定値入力部とを備えた射出成形機の成形条件表示方法において、前記複数の項目の中に、オペレータが任意に選択した設定項目が存在しかつ当該設定項目について設定変更がされない場合に、当該項目を含む成形条件入力用の画面については、当該項目について設定変更がなされていない旨を特定項目にて表示するとともに、前記オペレータが任意に選択した設定項目は、温度設定に関する条件入力用の画面における温度設定項目と、計量に関する条件入力用の画面における計量回転数設定項目及び計量背圧設定項目と、射出に関する条件入力用の画面における保圧設定項目と、金型の開閉に関する条件入力用の画面における型締速度設定項目及び型締位置設定項目と、成型品のエジェクタ動作に関する条件入力用の画面におけるエジェクタ突き出し量の設定項目のうちから任意に選択した１つ以上の項目であることを特徴とする射出成形機の成形条件表示方法が提供される。
【００１２】
特に、前記特定項目は、特定の色あるいは数字により表示され、設定変更がなされると表示がオフとされることを特徴とする。
【００１３】
また、本成形条件表示方法においては、前記特定項目において前記設定変更がなされていない旨が表示されている状態で前記ディスプレイの電源がオフにされた場合、次に前記ディスプレイの電源がオンにされた時には、前記特定項目における表示が、前記設定変更がなされていない旨の表示を保持する状態にされることを特徴とする。
【００１４】
なお、前記特定項目は、前記オペレータが任意に選択した設定項目を含む成形条件入力用の画面毎に異なる特定の色あるいは数字を設定して表示し、ある成形条件入力用の画面に対して設定変更が終了した時点でまだ設定変更の終了していない成形条件入力用の画面がある場合、前記設定変更を終了した成形条件入力用の画面における特定項目における表示を、前記まだ設定変更の終了していない成形条件入力用の画面に設定された色あるいは数字に変化させることにより、前記まだ設定変更の終了していない成形条件入力用の画面に対する設定変更を促し、前記オペレータが任意に選択した設定項目を含む成形条件入力用の画面のすべてについて設定変更を終了すると、特定項目における表示をオフとするようにしても良い。
【００１５】
【発明の実施の形態】
図１を参照して、本発明による成形条件表示方法は、射出成形機に備えられる周知の構成により実現される。すなわち、射出成形機は、射出成形機本体１１の成形動作を制御するための制御装置１２と、設定値を入力あるいは変更するためのキーボード１３と、成形条件や成形中の各工程における、例えば圧力のような波形を表示するためのディスプレイ１４と、各種データを記憶するための記憶装置１５とを備えている。
【００１６】
本形態では、設定値の変更し忘れがあると重大な問題を生ずる可能性のある項目を含む成形条件入力用の画面として、温度設定に関する条件入力用の画面と、可塑化に関する条件入力用の画面と、金型の開閉に関する条件入力用の画面とを想定している場合について説明するが、この他に、成型品のエジェクタ動作に関する条件入力用の画面に対しても同様に適用できる。すなわち、オペレータは、キーボード１３を通して、設定値の変更し忘れがあると重大な問題を生ずる可能性のある項目を含む成形条件入力用の画面を任意に選択して設定することができる。制御装置１２は、これらの選択設定された画面に関するデータを受けて記憶装置１５に記憶させる。
【００１７】
本形態ではまた、設定値の変更し忘れがあると重大な問題を生ずる可能性のある設定項目として、温度設定に関する条件入力用の画面における温度設定項目と、可塑化に関する条件入力用の画面における計量回転数設定項目及び計量背圧設定項目と、金型の開閉に関する条件入力用の画面における型締速度設定項目とを想定している場合について説明するが、この他に、可塑化に関する条件入力用の画面における保圧設定項目と、成型品のエジェクタ動作に関する条件入力用の画面におけるエジェクタ突き出し量の設定項目に対しても同様に適用できる。すなわち、オペレータは、キーボード１３を通して、設定値の変更し忘れがあると重大な問題を生ずる可能性のある設定項目を任意に選択して設定することができる。制御装置１２は、これらの選択設定された設定項目に関するデータを受けて記憶装置１５に記憶させる。
【００１８】
本形態では特に、オペレータにより選択設定された設定項目を含む成形条件入力用の画面については、その所定の領域に、上記設定項目について設定変更がなされていない旨を表示する特定項目が設定されるようにしている。そして、特定項目には、特定の色（例えば、赤）が表示可能にされている。これは、制御装置１２により実現することができる。
【００１９】
図２は、ディスプレイ１４における温度設定に関する条件入力用の画面を示しており、他の条件入力用の画面と同じ領域に特定項目２０が設定されている。制御装置１２は、図２に示されている温度設定に関する条件入力用の画面には、キーボード１３を通してオペレータにより選択設定された設定項目が含まれていることを判別している。そして、制御装置１２は、この選択設定された設定項目に既に設定値が与えられており、しかもこの設定値がまだ変更されていない場合に、特定項目に赤を表示させる。そして、設定値が変更された場合には、赤の表示をオフにする。なお、設定値の変更というのは、値を変えることだけでなく、同じ値を再入力することをも意味するものとする。その理由は後で説明する。
【００２０】
図３は、可塑化に関する条件入力用の画面を示しており、図２の画面と同じ領域に特定項目３０が設定されている。制御装置１２は、図３に示されている可塑化に関する条件入力用の画面には、キーボード１３を通してオペレータにより選択設定された設定項目、すなわち計量回転数設定項目及び計量背圧設定項目（図３では、背圧、回転として示されている）が含まれていることを判別している。そして、制御装置１２は、この選択設定された設定項目に既に設定値が与えられており、しかもこの設定値がまだ変更されていない場合に、特定項目３０に赤を表示させる。
【００２１】
図４は、型開閉に関する条件入力用の画面を示しており、図２の画面と同じ領域に特定項目４０が設定されている。制御装置１２は、図４に示されている型開閉に関する条件入力用の画面には、キーボード１３を通してオペレータにより選択設定された設定項目、すなわち型締速度設定項目（図４には型締として示されている）が含まれていることを判別している。そして、制御装置１２は、この選択設定された設定項目に既に設定値が与えられており、しかもこの設定値がまだ変更されていない場合に、特定項目４０に赤を表示させる。
【００２２】
上記のようにして、オペレータは、成形条件の変更作業に際し、ディスプレイ１４に成形条件入力用の画面が表示されている場合、特定項目の有無に着目し、特定項目がある場合にはその表示を確認することで設定値の変更のし忘れが無いかどうかを確認することができる。
【００２３】
本形態においては更に、特定項目において設定変更がなされていない旨が表示されている状態でディスプレイ１４の電源がオフにされた場合、次にディスプレイ１４の電源がオンにされた時には、その特定項目における表示が、設定変更がなされていない旨の表示を保持する状態にされるようにしている。このようにすれば、成形条件の変更作業を一時中断するためにディスプレイ１３の電源をオフにしたような場合でも、変更作業を再開するためにディスプレイ１３の電源をオンにした場合には設定変更がなされていない旨の表示が維持されているので、設定値の変更のし忘れを防止することができる。
【００２４】
ところで、選択設定された設定項目の中には、設定値を変更する必要の無い項目が存在する場合もある。このような場合には、同じ値を再入力すれば良い。これは、制御装置１２では、選択設定された設定項目の数値の変化を監視するのではなく、選択設定された設定項目に何らかの数値入力が行われたかどうかを監視しているからである。また、１つの成形条件の画面に、選択設定された設定項目が２つ以上存在する場合もある。しかし、制御装置１２はこれも把握しているので、１つの成形画面の中のすべての選択設定された設定項目の設定値が変更された時点で特定項目の表示をオフにする。
【００２５】
なお、上記の形態では、特定項目における表示を色で行うようにしているが、色に代えて、例えば選択設定された設定項目に変更がされていない場合には”１”を、変更された場合には”０”をそれぞれ表示させるようにしても良い。
【００２６】
また、上記の実施の形態では、特定項目をすべて赤で表示する場合について説明したが、以下のような変形例を採用しても良い。複数の成形条件入力用の画面に対応して特定項目に異なる色を設定表示する。例えば、温度設定画面における特定項目を赤色、可塑化設定画面における特定項目を青色、金型の開閉設定画面における特定項目を黄色で表示する。そして、ある成形条件入力用の画面に対して設定変更が終了した時点でまだ設定変更の終了していない成形条件入力用の画面がある場合、設定変更を終了した成形条件入力用の画面における特定項目における表示を、まだ設定変更の終了していない成形条件入力用の画面に設定された色に変化させることにより、まだ設定変更の終了していない成形条件入力用の画面に対する設定変更を促す。例えば、上記の３つのすべての設定画面について設定変更を忘れている場合、温度設定画面に対する設定変更が完了すると、特定項目における赤色表示を青色に変化させる。これを見たオペレータは、可塑化設定画面における設定変更の必要性ありと判断する。したがって、オペレータは可塑化設定画面を呼び出して設定変更を行う。これが終了すると、可塑化設定画面の特定項目における青色表示を青から黄に変化させる。これを見たオペレータは、金型の開閉設定画面における設定変更の必要性ありと判断する。したがって、オペレータは金型の開閉設定画面を呼び出して設定変更を行う。金型の開閉設定画面における設定変更が終了すると、特定項目を黄から白、すなわちオフに変化させる。これによって、オペレータは、すべての設定画面に対する設定変更が終了したことを確認できる。このようにすることにより、現在表示していない画面について、どの画面が設定終了していないかがわかる。
【００２７】
上記の変形例では、色別に表示する場合であるが、数字にしても良いことは勿論である。例えば、温度設定画面における特定項目を”３”、可塑化設定画面における特定項目を”２”、金型の開閉設定画面における特定項目を”１”で表示する。そして、すべての設定変更が完了すると、特定項目に”０”、すなわちオフを表示させる。
【００２８】
更に、設定変更を必要とする画面では、設定変更の必要な欄を反転表示させるようにすれば、どの項目を変更すれば良いか一目瞭然となる。
【００２９】
【発明の効果】
以上説明してきたように、本発明によれば、成形条件を入力するための画面に表示される複数の設定項目のうち、特に変更し忘れると重大な問題を生ずる可能性のある設定項目を任意に選択してその設定変更のし忘れを防止することができる。特に、上記の設定変更のし忘れ防止を、成形条件を入力するための画面毎に任意に選択して実現することができる。
【図面の簡単な説明】
【図１】本発明による成形条件表示方法を適用するために、射出成形機に備えられる構成を示した図である。
【図２】本発明によりディスプレイに表示される温度設定に関する条件入力用の画面を示した図である。
【図３】本発明によりディスプレイに表示される可塑化に関する条件入力用の画面を示した図である。
【図４】本発明によりディスプレイに表示される型開閉に関する条件入力用の画面を示した図である。
【図５】ディスプレイ上に表示される各種の成形条件の画面を概念的に示した図である。
【符号の説明】
１１    射出成形機本体
１２    制御装置
１３    キーボード
１４    ディスプレイ
１５    記憶装置
【図１】
0004094194.tif 000002
【図２】
0004094194.tif 000003
【図３】
0004094194.tif 000004
【図４】
0004094194.tif 000005
【図５】
0004094194.tif 000006